【事件の表示】
　平成１０年特許願第　３６８５１号「フォント作成装置及び記録媒体」拒絶査定不服審判事件〔平成１０年１２月１８日出願公開、特開平１０−３３３６６４〕について、次のとおり審決する。
【結　論】
　本件審判の請求は、成り立たない。
【理　由】
第１　手続の経緯・本願発明 
　本願は、平成１０年２月１９日（優先権主張：平成９年３月１７日）の特許出願であって、平成１７年１１月３０日付け（発送日：同年１２月６日）で拒絶査定がなされ、これに対して、平成１８年１月５日に拒絶査定に対する審判請求がなされたものであり、その請求項１ないし４に係る発明は、平成１６年９月２７日付け手続補正書及び平成１７年２月２４日付け手続補正書により補正された明細書及び図面の記載からみて、その特許請求の範囲の請求項１ないし４に記載された事項により特定されるとおりのものと認められるところ、その請求項１に係る発明（以下、「本願発明」という。）は次のとおりのものである。
　
　「【請求項１】作成したい文字を入力する作成文字入力手段と、
　該入力された文字を構成する各パーツの中心線を検出する中心線検出手段と、
　該検出された中心線に、該中心線を中心にして指定された厚さの肉付けを行う肉付け手
段とを備えることを特徴としたフォント作成装置。」
　
第２　引用刊行物に記載された発明
　原査定の拒絶の理由に引用され、本願の優先日前に頒布された刊行物である特開昭５４−１２７６２７号公報（以下、「引用刊行物」という。）には、図面とともに以下の事項が記載されている。
　１　「２　特許請求の範囲
　　１．文字、記号等を所定の字枠に画き、文字の字劃を線分に分解し、これを線分の中心線等の情報で単純化した後、その始点、終点の字枠内での座標を付し、これらの座標の羅列を字母として文字フアイルを数値の集合の形態として構成し、発生すべき文字の字母から得た数値に対して所望の演算を行なうことにより所望の文字を所望の形態で発生させることを特徴とする文字発生方式。」（第１頁左下欄「特許請求の範囲」）
　２　「本発明の目的は、上述した従来の欠点を除去し、縦横比、線の太さ等に関する自由度がきわめて大きく、しかも文字フアイルを簡単とすることができる文字発生方式を提供しようとするものである。
　本発明の文字発生方式は文字を所定の字枠に画き、文字の字劃を線分に分解し、これを線分の中心線等の情報で単純化した後、その始点、終点の字枠内での座標を付し、これらの座標の羅列を字母とし、従って文字フアイルの形態が数値の集合であることを特徴とし、この字母から得た上記数値を演算することにより始点終点を結ぶ距離の拡大、縮小、線分の逐次追尾、肉付けを行つて文字を表示することを特徴とするものである。」（第２頁左上欄第６行〜第１８行）
　３　　「先づ字母の作成について述べ、次にこの字母から文字を表示する方法を説明する。
　　第１図に示す如く、例えば１２８×１２８ドツトの字枠にドツトを利用して、「京」という文字を画く。横軸をｘとし、縦軸をｙとする。ｘ軸、ｙ軸は共に原点を０とし、便宜上計算機分野でよく用いられる１６進法で表示する。
・・・・・
　　第１図に示す如く「京」の文字は１０本の線分１０１，１０２，１０３，１０４，・・・１１０に分解される。これら肉付きの線分を字枠に対する情報を保持する限度内で単純化する。例えば線分の肉付けはポストプロセスとして修飾出来るので線分の太さについて情報の省略を行う。一筆書きの手法で書続けられるところは線分毎に始点、終点を指示する代りに、始点、屈折点、終点の情報で代替して情報の単純化を計る。
　　第１図の情報は第２図に示す如く単純化され、各線分の始点、屈折点、終点は２０１，２０２，２０３，……２１６等となる。これら各点はそれぞれ７ビツトのｘ，ｙ座標で表示することが出来、表２５０はこれ等各点の座標の集合で、（但し表示２５０は１６進で表示してある）「京」の文字に対する本発明方式の字母である。」（第２頁左上欄第２０行〜左下欄第４行）
　４　「次にこの字母から「京」の文字を表示するポストプロセスについて述べる。第３図において、３０１はキヤラクタデイスプレイのＣＲＴのラスタを示し、その座標軸をＵ，Ｖとする。キヤラクタ・デイスプレイには種々の方法があるが、ここでは、３０１に示すラスタに対応するｍ×ｎドツトの面メモリがあるものとし、この面メモリへの書込みが即ち表示と考える。第３図に示す如く、ラスタの所定の点３０２（座標Ｕ０，Ｖ０）を始点として３０３に示すｕ，ｖ面での字枠に上記の字母を使用して「京」の文字を表示する。３０３の字枠の巾、高さをそれぞれｗ，ｈとする。「京」の字母の字枠はｘ，ｙそれぞれ１２８×１２８ドツトであるから字母中のｘ，ｙ座標は、それぞれｈ／１２８倍、ｗ／１２８倍（当審注：分数の記号「−」を「／」で代替する。以下、同じ。）の演算をほどこすことにより字枠３０３内の座標ｕ，ｖに変換出来る。第４図はポスト・プロセスの系統図で文章構成情報４０１により上述の如く第３図のラスタ３０１上のどの位置に、何の文字を、どの大きさで表示するかが指定される。「京」という文字の文字コードが指定されると、文字フアイル４０２から「京」の文字の字母、即ち第２図の表２５０が選択される。拡大、縮小演算部４０３で各点に上記演算を行うことにより表２５０の最初の点２０１は字枠３０３内の点ｕ１，ｖ１に、第２の点２０２はｕ２，ｖ２に変換される。次の線分データラツチ４０４でｕ１，ｖ１は始点ラツチにｕ２，ｖ２は終点ラツチにラツチされ、さらにΔｕ＝ｕ２−ｕ１　Δｖ＝ｖ２−ｖ１を計算して、それぞれΔｕ・ラツチ、Δｖラツチにラツチする。」（第２頁左下欄第１５行〜第３頁左上欄第３行）
　５　「次の線引き操作部４０５では上記の線分データを基に例えば始点ｕ１　ｖ１からΔｖ／Δｕの方向に逐次歩進する。例えばｕ１を歩進（＋１インクレメント）し、Δｖ／Δｕ×１を四捨五入してｖの歩進量とする。更にｕ１を歩進してΔｖ／Δｕ×２を四捨五入してｖの歩進量とする。この操作を続けてｕ１にその歩進量を加えたものがｕ２になるまで歩進すると、始点ｕ１　ｖ１と終点ｕ２　ｖ２を結ぶ線分を得る。」（第３頁左上欄第４行〜第１１行）
　６　「肉付け回路４０７は上記歩進の都度、その点を中心とする所定の形状の区劃を部分走査して“１”を書込むことにより上記線分に所望の肉付けを行なうものである。第５図Ａにおいて５０１は始点ｕ１，ｖ１を示し、ｕ１，ｖ１を中心として面メモリのアドレスを上記区劃について走査して“１”を書込むと５０２で示すような肉付がなされる。第５図Ｂに示す５０３は１回目の進歩を行つた点ｕ１′，ｖ１′を示し、これを中心として５０４の肉付けがなされる。面メモリ４０８が加算的書込み回路を構成していると、面メモリには５０２と５０４が重量されて第５図Ｃにおいて５０５で示すような肉付けが行われ、それ以降の歩進に対して点線で示す５０６の肉付けを得る。
　　第６図に肉付け区劃の種類を示し、Ｐは肉付けの巾をＱは高さを示す。肉付けは面メモリのアドレスを走査することと、走査の各点におけるメモリへの書込み命令で行われるので、肉付け回路４０７からアドレス指定部４０６に肉付け座標ｐ，ｑが加えられる。」（第３頁左上欄第１７行〜右上欄第１６行）
　７　「第７図は本発明による文字発生方式の一実施例の全体の構成を示すブロツク線図である。第７図において第４図に示した部分と同一部分には同一符号を付けて示した。拡大、縮少演算部４０３には、１文字分パターンメモリ４０３１、１／ｋ除算回路４０３２およびｌ倍乗算回路４０３３を設け、文字フアイル４０２から選択された文字の線分の始点、終点の座標（ｘ１，ｙ１）、（ｘ２，ｙ２）・・・に対して所定の指定された除算および／または乗算を行ない、文字の大きさ、縦横比を規定して（ｕ１，ｖ１）、（ｕ２，ｖ２）・・・に座標変換する。
　線分データラツチ４０４においては、順次の線分の始点および終点の座標値Ａ（ｕ１，ｖ１）およびＢ（ｕ２，ｖ２）の大小判別を行ない、ｕ１ラツチ４０４１、Δｕラツチ４０４２、ｖ１ラツチ４０４３、Δｖラツチ４０４４に蓄積するものであり、始点座標を記憶するＡラツチ４０４５、Ａ，Ｂの大小比較、減算を行なう演算回路４０４６およびＡ，Ｂ切換回路４０４７を具えるものである。
　線引き操作部４０５は上述のｕ１ラツチ、Δｕラツチ、ｖ１ラツチ、Δｖラツチに記憶されたｕ１、Δｕ、ｖ１、Δｖの値により始点から終点へ向う線分の座標値を計算により算出するものであり、ｕカウンタ４０５１、ｖカウンタ４０５２、Ｍ１＝ｖ×Δｕを行なう乗算回路４０５３、Ｍ２＝ｕ×Δｖを行なう乗算回路４０５４、Ｍ１とＭ２の大小関係を比較し、カウンタの動作を制御する比較回路４０５５等を具えている。
　肉付け回路４０７は、第６図に示したような種々の肉付けパターンの中から文章構成情報によつて指定されたパターンにしたがつて肉付けを行なうものであり、肉付けパターンのリードオンリーメモリ（ＲＯＭ）４０７１と、ｐおよびｑカウンタ４０７２および４０７３と、ライトパルス回路４０７４を具えるものである。
　面メモリのアドレス指定部４０６はラスタ上に表示すべき文字の原点座標Ｕ０、線分の座標ｕ１、ｕ，肉付けパターンの座標ｐを受けて、面メモリ４０８におけるｕアドレスを構成するｕアドレス加算回路４０６１と、Ｖ０，ｖ１，ｖ，ｑを受けてｖアドレスを構成するｖアドレス加算回路４０６２とを具えるものである。このようにして面メモリ４０８から出力端子４０９に文字信号が出力され、これを例えばキヤラクタ・デイスプレイのＣＲＴに供給することにより所望の文字を、ラスタ上の所望位置に、所望の形状、すなわち所望の縦横比、線の太さで表示することができる。」（第３頁左下欄第１２行〜第４頁左上欄第１８行）
　
　上記摘記事項５から、線引き操作部では、始点から逐次歩進し終点に至る線分を得ること、上記摘記事項６から、肉付け回路は上記歩進の都度、その点を中心とする所定の形状の区画を部分走査して“１”を書込むことにより上記線分に所望の肉付けを行なうこと、また、上記摘記事項７から、「文字発生方式」はものとしての構成を具備することがそれぞれ読み取れる。
　
　したがって、上記摘記事項１ないし７及び図面の記載から、引用刊行物には、次の発明（以下、「引用発明」という。）が記載されているものと認められる。
　「文字を所定の字枠に画き、文字の字劃を線分に分解し、これを線分の中心線の情報で単純化した後、その始点、終点の字枠内での座標を付し、これらの座標の羅列を字母として文字フアイルを数値の集合の形態として構成し、線引き操作部で始点から逐次歩進し終点に至る線分を得、肉付け回路は上記歩進の都度、その点を中心とする所定の形状の区劃を部分走査して“１”を書き込むことにより上記線分に所望の肉付けを行うことにより、所望の文字を所望の形態で発生させることを特徴とする文字発生方式。」
　
第３　対比・判断　　
　１　本願発明と引用発明との対比
　（１）引用発明の「文字を所定の字枠に画き」は、本願発明の「作成したい文字を入力する」に相当し、引用発明はそのような機能を有する手段を当然具備するから、引用発明は本願発明の「作成文字入力手段」に相当する手段を有する。
　（２）引用発明の「文字の字劃を線分に分解し、これを線分の中心線の情報で単純化した後、その始点、終点の字枠内での座標を付し、これらの座標の羅列を字母として文字フアイルを数値の集合の形態として構成し」は、本願発明の「入力された文字を構成する各パーツの中心線を検出する」に相当し、引用発明はそのような機能を有する手段を当然具備するから、引用発明は本願発明の「中心線検出手段」に相当する手段を有する。
　（３）引用発明の「肉付け回路」は「上記歩進の都度、その点を中心とする所定の形状の区劃を部分走査して“１”を書き込むことにより上記線分に所望の肉付けを行う」ものであるから、該「肉付け回路」と本願発明の「該検出された中心線に、該中心線を中心にして指定された厚さの肉付けを行う肉付け手段」とは、ともに、検出された中心線に、該中心線を中心にして肉付けを行う肉付け手段である点で共通する。
　（４）引用発明の「文字発生方式」は、「所望の文字を所望の形態で発生させる」ものであるから、本願発明の「フォント作成装置」に相当する。
　
　したがって、本願発明と引用発明とは、次の一致点で一致し相違点で相違する。
［一致点］　「作成したい文字を入力する作成文字入力手段と、
　該入力された文字を構成する各パーツの中心線を検出する中心線検出手段と、
　該検出された中心線に、該中心線を中心にして肉付けを行う肉付け手段とを備えることを特徴としたフォント作成装置。」
　
［相違点］　肉付け手段が、本願発明では、指定された厚さの肉付けを行うのに対し、引用発明では、所定の形状の区劃を部分走査して“１”を書き込むことにより線分に所望の肉付けを行う点。
　
　２　判断
　上記相違点について検討する。
　引用刊行物の図面の第６図には、上記「所定の形状の区劃」の種類として、肉付けの巾Ｐ、高さＱの組み合わせに応じて種々の形状のものが示されており、そのうち巾Ｐと高さＱが等しい形状の区劃の中には略円形状のものが含まれていることが見て取れる。
　このような巾Ｐと高さＱが等しく略円形状のものに接した当業者がそのような形状のものの一例として半径Ｐ（またはＱ）の円を思いつくことはごく自然な発想であり、そのような円を上記区劃として選択すればその指定された半径Ｐ（またはＱ）の厚さの肉付けが行われることになることも明らかである。
　したがって、引用発明において、肉付け手段を指定された厚さの肉付けを行うものとすることは当業者が容易になし得たことである。
　
　そして、本願発明の奏する効果は、引用刊行物の記載から当業者が予測し得る範囲内のものであり、格別のものではない。
　よって、本願発明は、引用発明に基づいて当業者が容易に発明をすることができたものである。
　
第４　むすび
　以上のとおりであるから、本願発明は、特許法第２９条第２項の規定により特許を受けることができないものである。
　そして、本願発明（請求項１に係る発明）が特許を受けることができないものであるから、その余の請求項２ないし４に係る発明について検討するまでもなく、本願は、拒絶すべきものである。
　よって、結論のとおり審決する。